(57)【要約】【課題】指定時刻に炊き上げる予約炊飯機能を備えた炊飯器において、使用者の予定が変更になった場合などでも、変更前の状態を維持しつつ予約炊飯の終了時刻を変更できるようにし、より最適な予約炊飯を行うことができるようにする。【解決手段】指定時刻に終了するように炊飯開始を待つ予約待機動作と炊飯を行う予約炊飯動作とを制御手段６により制御し、予約設定開始手段３により予約炊飯時刻の設定を開始し、予約時刻設定手段４により予約炊飯の終了時刻を設定し、予約設定確定手段５により予約設定を確定し、時刻表示手段７ａにより時刻を表示する。制御手段６は、予約設定確定時と設定された予約炊飯の終了時刻の差に応じて、予約炊飯を開始する時間や予約炊飯動作を調整するようにし、予約待機動作のときおよび予約炊飯動作の開始から所定の間、設定中の予約を取り消すことなく、予約炊飯終了時刻を変更できるようにする。【選択図】図１
2006334131.tif 000002
【特許請求の範囲】
【請求項１】
指定時刻に終了するように炊飯開始を待つ予約待機動作と炊飯を行う予約炊飯動作とを制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段とを備え、前記制御手段は、予約設定確定時と設定された予約炊飯の終了時刻の差に応じて、予約炊飯を開始する時間や予約炊飯動作を調整するようにし、予約待機動作のときおよび予約炊飯動作の開始から所定の間、設定中の予約を取り消すことなく、予約炊飯終了時刻を変更できるようにした炊飯器。
【請求項２】
制御手段は、予約時刻終了時刻の変更を所定の範囲に限定した請求項１記載の炊飯器。
【請求項３】
指定時刻に終了するように炊飯開始を待つ予約待機動作と炊飯を行う予約炊飯動作とを制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段と、炊飯器内部での浸し時間を計時する浸し時間計時手段とを備え、前記制御手段は、予約設定確定時と設定された予約炊飯の終了時刻の差に応じて、予約炊飯を開始する時間や予約炊飯動作を調整するようにし、予約設定確定前に炊飯器本体内部で行われた浸し時間に応じて、予約時刻設定可能時間、予約炊飯開始時間、予約炊飯動作の少なくともいずれか１つを調整するようにした炊飯器。
【発明の詳細な説明】
【技術分野】
【０００１】
本発明は、指定時刻に炊き上げる予約炊飯機能を備えた炊飯器に関するものである。
【背景技術】
【０００２】
従来、この種の炊飯器では、予約設定確定時と設定された予約炊飯の終了時刻の差に応じて、炊飯の工程を調整したものがある（例えば、特許文献１参照）。
【０００３】
しかし、この炊飯の工程を調整は予約設定確定時に決まるため、予定が不明確な場合でも、適当な時間を設定して予約設定を確定させる必要がある。
【特許文献１】特開平８−３０８７２４号公報
【発明の開示】
【発明が解決しようとする課題】
【０００４】
しかしながら、このような従来の炊飯器では、炊飯の工程は予約設定確定時に決まるため、予約設定確定後に使用者の予定が変更になった場合などで再度設定をした場合には、再度設定したときのとき間に応じた予約炊飯を行うことになり、予約炊飯の終了時間までが短く、希望の時間が設定できなかったり、最適な予約炊飯を行うことができないといった問題があった。
【０００５】
本発明は上記従来の課題を解決するもので、一旦予約設定を確定した後、使用者の予定が変更になった場合などでも、それを取り消すことなく変更前の状態を維持しつつ予約炊飯の終了時刻を変更できるようにすることで、使用者の希望する時刻に設定できるとともにより最適な予約炊飯を行うことができるようにすることを目的としている。
【課題を解決するための手段】
【０００６】
本発明は上記目的を達成するために、指定時刻に終了するように炊飯開始を待つ予約待機動作と炊飯を行う予約炊飯動作とを制御手段により制御し、予約設定開始手段により予約炊飯時刻の設定を開始し、予約時刻設定手段により予約炊飯の終了時刻を設定し、予約設定確定手段により予約設定を確定し、時刻表示手段により時刻を表示するよう構成し、制御手段は、予約設定確定時と設定された予約炊飯の終了時刻の差に応じて、予約炊飯を開始する時間や予約炊飯動作を調整するようにし、予約待機動作のときおよび予約炊飯動作の開始から所定の間、設定中の予約を取り消すことなく、予約炊飯終了時刻を変更できるようにしたものである。
【０００７】
これにより、一旦予約設定を確定した後、使用者の予定が変更になった場合などでも、それを取り消すことなく変更前の状態を維持しつつ予約炊飯の終了時刻を変更することができて、使用者の希望する時刻に設定でき、より最適な予約炊飯を行うことができる。
【発明の効果】
【０００８】
本発明の炊飯器は、一旦予約設定を確定した後、使用者の予定が変更になった場合などでも、それを取り消すことなく変更前の状態を維持しつつ予約炊飯の終了時刻を変更することができて、使用者の希望する時刻に設定でき、より最適な予約炊飯を行うことができる。
【発明を実施するための最良の形態】
【０００９】
第１の発明は、指定時刻に終了するように炊飯開始を待つ予約待機動作と炊飯を行う予約炊飯動作とを制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段とを備え、前記制御手段は、予約設定確定時と設定された予約炊飯の終了時刻の差に応じて、予約炊飯を開始する時間や予約炊飯動作を調整するようにし、予約待機動作のときおよび予約炊飯動作の開始から所定の間、設定中の予約を取り消すことなく、予約炊飯終了時刻を変更できるようにしたものであり、使用者の予定が変更になった場合などでも予約炊飯の終了時刻を変更できるようになり、より希望する時間に設定でき、より最適な予約炊飯を行うことができるようにすることができる。
【００１０】
第２の発明は、上記第１の発明において、制御手段は、予約時刻終了時刻の変更を所定の範囲に限定したものであり、不可能な時間の設定ができないようになるため、より希望する時間に予約炊飯終了時刻を設定でき、より最適な予約炊飯を行うことができる。
【００１１】
第３の発明は、指定時刻に終了するように炊飯開始を待つ予約待機動作と炊飯を行う予約炊飯動作とを制御する制御手段と、予約炊飯時刻の設定を開始する予約設定開始手段と、予約炊飯の終了時刻を設定する予約時刻設定手段と、予約設定を確定する予約設定確定手段と、時刻を表示する時刻表示手段と、炊飯器内部での浸し時間を計時する浸し時間計時手段とを備え、前記制御手段は、予約設定確定時と設定された予約炊飯の終了時刻の差に応じて、予約炊飯を開始する時間や予約炊飯動作を調整するようにし、予約設定確定前に炊飯器本体内部で行われた浸し時間に応じて、予約時刻設定可能時間、予約炊飯開始時間、予約炊飯動作の少なくともいずれか１つを調整するようにしたものであり、使用者の予定が変更になった場合などでも予約炊飯の終了時刻を変更できるようになり、より希望する時間に設定でき、より最適な予約炊飯を行うことができるようにすることができる。
【００１２】
以下、本発明の実施の形態について、図面を参照しながら説明する。なお、この実施の形態によって本発明が限定されるものではない。
【００１３】
（実施の形態１）
図１は本発明の実施の形態１における炊飯器のブロック図である。
【００１４】
図１に示すように、予約設定開始手段３は予約炊飯時刻の設定を開始することを制御手段６へ伝えるもので、予約時刻設定手段４は予約炊飯の終了時刻を設定するものであり、予約設定確定手段５は予約設定を確定することを制御手段６へ伝えるものである。制御手段６は、指定時刻に終了するように炊飯開始を待つ予約待機動作と炊飯を行う予約炊飯動作とを制御するもので、予約設定確定手段５から制御手段６に信号が送られた時刻を記憶する確定時刻記憶手段６ａを有している。表示手段７は炊飯器の状態を表示するもので、現在の時刻および予約設定時と予約確定時に予約炊飯完了時刻を表示する時刻表示手段７ａを有している。
【００１５】
ここで、制御手段６は、予約設定確定時と設定された予約炊飯の終了時刻の差に応じて、予約炊飯を開始する時間や予約炊飯動作を調整するようにし、予約待機動作のとき、設定中の予約を取り消すことなく、予約炊飯終了時刻を変更できるようにしている。
【００１６】
上記構成において動作を説明する。予約設定開始手段３から制御手段６に信号が送られると予約設定が開始される。このとき、予約炊飯終了時刻は時刻表示手段７ａに表示される。予約時刻設定手段４により設定中の予約炊飯終了時刻を変更し、都度設定中の予約炊飯終了時刻は時刻表示手段７ａに表示される。予約設定確定手段５から制御手段６に信号が送られると予約設定が完了する。このとき、確定時刻記憶手段６ａは予約設定確定手段５から制御手段６に信号が送られた時刻を記憶する。予約設定完了後は、確定時刻記憶手段６ａに記憶された時間と設定された予約炊飯終了時刻の差に応じて指定時刻に終了するように炊飯開始を待つ予約待機動作となり、指定時刻に終了するための予約炊飯動作を開始し、指定時刻に炊飯を終了する。
【００１７】
この予約待機動作中に、再度予約設定開始手段３から制御手段６に信号が送られると予約設定変更が開始される。このとき、予約炊飯終了時刻は時刻表示手段７ａに表示される。予約時刻設定手段４により設定中の予約炊飯終了時刻を変更し、都度変更設定中の予約炊飯終了時刻は時刻表示手段７ａに表示される。予約設定確定手段５から制御手段６に信号が送られると予約設定変更が完了する。予約設定変更完了後は、確定時刻記憶手段６ａに記憶された時間と変更された予約炊飯終了時刻の差に応じて指定時刻に終了するように炊飯開始を待つ予約待機動作となり、指定時刻に終了するための予約炊飯動作を開始し、指定時刻に炊飯を終了する。
【００１８】
以上のように、本実施の形態においては、一旦予約設定を完了させた後でも、予約待機中であれば、予約炊飯終了時刻を変更することができるため、例えば、午前８時の時点で、午後８時の予約炊飯終了時刻を設定した後、予約炊飯が開始していない予約待機中の午後６時の段階で、予定を変更して午後７時に予約炊飯完了時刻を変更することができ、変更した午後６時でなく、最初の午前８時の時点で午後７時の予約炊飯終了時刻を設定した場合と同じ動作で予約炊飯を行うことができるなど、より最適な条件で希望する時間に炊き上がる予約炊飯の設定ができる。
【００１９】
なお、本実施の形態では、予約時刻の変更を予約待機中に限定しているが、予約炊飯を開始してから所定の時間（例えば３０秒以内）あるいは炊飯初期の所定の工程（例えば吸水のための工程まで）の間は予約時刻の変更ができるようにしてもよいし、変更可能あるいは変更不可能である旨を報知するようにしてもよい。
【００２０】
（実施の形態２）
図２は本発明の実施の形態２における炊飯器のブロック図である。
【００２１】
図２に示すように、制御手段１０は、指定時刻に終了するように炊飯開始を待つ予約待機動作と炊飯を行う予約炊飯動作とを制御するもので、予約設定確定手段５から制御手段１０に信号が送られた時刻を記憶する確定時刻記憶手段６ａと、予約待機中に予約時刻設定手段４により予約時刻を変更中の時刻を記憶する変更中時刻記憶手段６ｂを有している。ここで、制御手段１０は、予約時刻終了時刻の変更を所定の範囲に限定している。他の構成は上記実施の形態１と同じであり、同一符号を付して説明を省略する。
【００２２】
上記構成において動作を説明する。予約設定開始手段３から制御手段１０に信号が送られると予約設定が開始される。このとき、予約炊飯終了時刻は時刻表示手段７ａに表示される。予約時刻設定手段４により設定中の予約炊飯終了時刻を変更し、都度設定中の予約炊飯終了時刻は時刻表示手段７ａに表示される。予約設定確定手段５から制御手段１０に信号が送られると予約設定が完了する。このとき、確定時刻記憶手段６ａは予約設定確定手段５から制御手段１０に信号が送られた時刻を記憶する。予約設定完了後は、確定時刻記憶手段６ａに記憶された時間と設定された予約炊飯終了時刻の差に応じて指定時刻に終了するように炊飯開始を待つ予約待機動作となり、指定時刻に終了するための予約炊飯動作を開始し、指定時刻に炊飯を終了する。
【００２３】
この予約待機動作中に、再度予約設定開始手段３から制御手段１０に信号が送られると予約設定変更が開始される。このとき、予約炊飯終了時刻は時刻表示手段７ａに表示される。予約時刻設定手段４により設定中の予約炊飯終了時刻を変更し、都度その時刻を変更中の時刻を記憶する変更中時刻記憶手段６ｂに記憶し、変更された予約炊飯終了時刻が、確定時刻記憶手段６ａおよび変更中時刻記憶手段６ｂの時刻から設定不可能な時間である場合、設定可能な時間に変更し、時刻表示手段７ａに表示される。
【００２４】
以上のように、本実施の形態においては、一旦予約設定を完了させた後でも、予約待機中であれば、予約炊飯終了時刻を変更することができるが、その変更範囲を限定するようにしているため、例えば、午前８時の時点で午後６時３０分に設定していれば、午後６時に予約炊飯に移行する場合において、午前８時の時点で、午後８時の予約炊飯終了時刻を設定した後、予約炊飯が開始していない予約待機中の午後６時少し前の段階で、予定を変更して予約炊飯完了時刻を早い時刻に変更しようとした場合、午後６時３０分より前に予約時刻を変更しようとしても設定不可能であるため、予約時刻は設定可能な午後６時３０分までしか変更できず、炊き上がりが期待できない予約時刻に変更されることもなく、変更した午後６時でなく、最初の午前８時の時点で午後６時３０分の予約炊飯終了時刻を設定した場合と同じ動作で予約炊飯を行うことができるなど、より最適な条件で希望する時間に近い炊き上がる予約炊飯の設定ができる。
【００２５】
なお、本実施の形態では、予約時刻を早い時刻に変更するようにしているが、遅い時刻に変更するようにしてもよいし、その場合の変更可能範囲は、確定時刻記憶手段６ａの時刻から２４時間以内といったようにしてもよい。また、変更可能範囲の時間を季節や室温、水温などによって変更するようにしてもよい。また、変更の方向を早い時刻または遅い時刻のいずれか一方に限定するようにしてもよい。
【００２６】
また、本実施の形態では、設定不可能な場合、予約時刻設定手段４による予約炊飯終了時刻の変更をできないようにしているが、予約時刻設定手段４により時刻表示手段７ａによる予約炊飯終了時刻の表示は変更した上で、予約設定確定手段５を受け付けない、あるいは、受け付けできない旨を報知するようにしてもよい。
【００２７】
（実施の形態３）
図３は、本発明の実施の形態３における炊飯器のブロック図である。
【００２８】
図３に示すように、制御手段１１は、指定時刻に終了するように炊飯開始を待つ予約待機動作と炊飯を行う予約炊飯動作とを制御するもので、予約設定確定手段５から制御手段１０に信号が送られた時刻を記憶する確定時刻記憶手段６ａを有しており、鍋の有無検知後の時間を炊飯器内部での浸し時間として計時する浸し時間計時手段１１ａを備えている。
【００２９】
ここで、制御手段１１は、予約設定確定時と設定された予約炊飯の終了時刻の差に応じて、予約炊飯を開始する時間や予約炊飯動作を調整するようにし、予約設定確定前に炊飯器本体内部で行われた浸し時間に応じて、予約時刻設定可能時間、予約炊飯開始時間、予約炊飯動作の少なくともいずれか１つを調整するようにしている。他の構成は上記実施の形態１と同じであり、同一符号を付して説明を省略する。
【００３０】
上記構成において動作を説明する。浸し計時時間１１ａは、計量や洗米のため、鍋なしの状態から鍋ありの状態になったのを検知してからの時間を計時する。その後、予約設定開始手段３から制御手段１１に信号が送られると予約設定が開始される。このとき、予約炊飯終了時刻は時刻表示手段７ａに表示される。予約時刻設定手段４により設定中の予約炊飯終了時刻を変更し、都度設定中の予約炊飯終了時刻は時刻表示手段７ａに表示される。予約設定確定手段５から制御手段１１に信号が送られると予約設定が完了する。このとき、確定時刻記憶手段６ａは予約設定確定手段５から制御手段１１に信号が送られた時刻を記憶する。予約設定完了後は、確定時刻記憶手段６ａに記憶された時間と設定された予約炊飯終了時刻の差と浸し計時手段１１ａによる浸し時間に応じて指定時刻に終了するように炊飯開始を待つ予約待機動作となり、指定時刻に終了するための予約炊飯動作を開始し、指定時刻に炊飯を終了する。
【００３１】
以上のように、本実施の形態においては、計量や洗米を終了して、炊飯器本体に設置した後、しばらく浸し時間をおいてから予約設定を開始、完了させた場合でも、浸し時間の分と予約設定を完了させた時間と設定した予約終了時刻に応じて、予約炊飯を行うことができるため、例えば、午前８時の時点で洗米を終了して、炊飯器本体に設置した後、午後６時になってから午後７時の予約炊飯終了時刻を設定した場合でも、午前８時の時点で午後７時の予約炊飯終了時刻を設定した場合と同じ同じ動作で予約炊飯を行うことができるなど、より最適な条件で希望する時間に近い炊き上がる予約炊飯の設定ができる。
【００３２】
なお、本実施の形態では、予約時刻の設定を完了する前の浸し時間分をその時間に予約時刻の設定が完了した場合と同様の扱いをしているが、全く同一である必要はなく、設定可能な予約時刻は予約設定確定手段５を操作した時間に応じるなど一部を異なるようにしてもよい。
【００３３】
また、本実施の形態では、予約時刻の設定を完了しない状態での浸し時間をおいて予約炊飯の終了時刻を設定するようにしているが、一旦予約時刻の設定を完了した後で取り消した場合でも鍋なしを検知するなど、浸し時間の計時条件が成立しなくなるまでは同様の動作をするようにしてもよく、浸し時間を計時中であることを報知するようにしてもよい。
【産業上の利用可能性】
【００３４】
以上のように、本発明にかかる炊飯器は、一旦予約設定を確定した後、使用者の予定が変更になった場合などでも、それを取り消すことなく変更前の状態を維持しつつ予約炊飯の終了時刻を変更することができて、使用者の希望する時刻に設定でき、より最適な予約炊飯を行うことができるので、指定時刻に炊き上げる予約炊飯機能を備えた炊飯器として有用である。
【図面の簡単な説明】
【００３５】
【図１】本発明の実施の形態１における炊飯器のブロック図
【図２】本発明の実施の形態２における炊飯器のブロック図
【図３】本発明の実施の形態３における炊飯器のブロック図
【符号の説明】
【００３６】
３  予約設定開始手段
４  予約時刻設定手段
５  予約設定確定手段
６  制御手段
７ａ  時刻表示手段
【図１】
2006334131.tif 000003
【図２】
2006334131.tif 000004
【図３】
2006334131.tif 000005